Podtech/llm-jp-corpus-v4-ja_patent huggingface dataset:
(57)【要約】【課題】従来の特許の運営形式として、「特許」と「拡張」がある。これだけしか存在しないと、重大な特許が拡張扱いになった場合、特許料が得られず、研究・開発に支障が生じる。逆に特許扱いだと、人々の生命がおびやかされたり、天然資源が浪費されてしまう。【解決の手段】特許の運営形式として、「特許」「拡張」「強制拡張」の３つ設ける。強制拡張は特許が企業１箇所で販売に対し、企業全般（ある業界）で扱え、販売期間は、１０年とする。これにより、発明者は、研究開発費を確保でき、人々は、生命を保護され、文明の進展を促進できる。【特許請求の範囲】
【請求項１】
この強制拡張の特許をもつ発明者が考案した特許の中で、人々の生命・生活・環境、天然資源の確保、安全に重大とされる特許に対して付ける。
【請求項２】
強制拡張をもつ発明者以外の他人の特許の中で、人々の生命・生活環境・天然資源の確保、安全に重大とされる特許に対して付ける。
【発明の詳細な説明】
【技術分野】
【０００１】本発明は、特許の運営形式（方法）に関する。【０００２】従来は、特許の運営形式として、「特許」として企業１箇所にあずけ、２０年独占権を得るやり方と、「拡張」として、企業全般で扱い、２０年の独占権をすてるやり方の２種が存在した。
【発明の概要】
【発明が解決しようとする課題】
【０００３】従来の特許の運営形式だと、「特許」としてある発明者が特許権を独占できるかわりに、１箇所でしか販売できないという難点があった。
又、「拡張」は、特許権を発明者がすてることで企業の販売、利用度は促進されるが特許料を受給できないという難点があった。
ある発明者が重大な発明をし、特許料を受給しようとしているのに、あまりに、重大で、人々の生活にないと大きな支障を与える場合、従来は、発明者は、庶民の要望にこたえることによって、拡張せざるを得ず、特許料を得ることができずに、貧乏で、研究・開発費が十分に確保できない状態に追いこまれることになっている。
又、発明者が無理に特許料を受給すると人々が自由にその生産物を利用できず、何らかの被害、支障がでるという事態がおきた。たとえば、枯渇の可能性のある石油などの資源の節約のために対策を練った製品を２０年の特許として利用すると、生産箇所が１箇所のため、生産数に限りがあり、日本全国に広がり利用されるのに時間を要する。そのため、時間がかかる程、石油を多く浪費してしまうという被害がでる。
又、どろぼう振込の存在するネットバンクダイレクトを守る、お客様の財産を守るために振込を制限する方法を発明したとして、特許にしたとしても、１箇所でしか利用できず、他の銀行が利用できないまま、どろぼうに遭ってしまうという被害がでる。
又、レントゲンを発明して、特許にしたとすると、医学的に病院で手術・治療に広く使え、手術箇所を的確に正しく限定できるため、病気・ケガの治りが早く確実にできるのに、その可能性を１箇所だけに限定することになり、人々の生命・生活に大きな被害がでる。
【課題を解決するための手段】
【０００４】「特許」「拡張」の２種に加えて、「強制拡張」を設ける。
人々の生命・生活・医学的に必要不可欠な「特許」を１箇所の販売とせずに、その業界全般で実施を許可し、その代わりに、販売期間・特許受給期間を１０年とする。
このことにより、「拡張」にしなくても、発明者は、研究費・開発費をうけることが可能となる。これは、将来のその生産物の進展にも大きく貢献しうる。
又、「特許」として人々の生命・生活、自然の資源の節約・有効利用にも役立つことから、企業側にも幅広く利益が期待できる。
庶民側としても、利用したいだけ制限をうけることなく利用できる。
【発明の効果】
【０００５】特許を限定販売しないことにより、企業側に幅広く利益を期待できる。
このことは、景気の低迷を救うことにもつながる。要するに景気を調整できる。
又、発明者の重大な特許権を確実に守り、研究費を確保し、効力感を実感できる。
天然資源を守り、最大に節約できる。（石油など）
自然を保護し、環境を保護できる。（発電方法など）
個人の資産を最短で広く保護し、安全を早く確保できる。（銀行）
人々の生命を守ることができる。（医学）
企業の利益が高い推移となるため、政府や国の多大な運営資金を早急に最大確保できる。企業の資産を安全に確保できる。
景気の調整としても使える。
【発明を実施するための形態】
【０００６】発明者が発明した特許の中で、人々の生命・生活・環境・天然資源医学の進展に大きく重大な影響を与えるものに対して、この強制拡張を付けることにより、全般の企業で、販売年数１０年として運営する。
これは、他人の特許を利用したい、せざるを得ない場合も強制拡張が利用できる。他人の特許の場合は、発明者１人分の特許料以外は政府の運営資金となる。
(57)【要約】【課題】見た目の向上による所有感とより優れたバックスピンが得られるアイアンヘッドの提供。【解決手段】アイアンヘッドのフェース面において、ＣＮＣ旋盤加工による表面切削を施し、切削面にレーザーを照射させ照射面の組成そのものを化学的に変化させることにより、表面を粗くし発色させた。【選択図】図１
2019162394.tif 000002
【特許請求の範囲】
【請求項１】
アイアンヘッドのフェース面に表面粗さが頂上から底までの深さが０．００６から０．０２５ｍｍの間に介在したピンク、グリーン、パープル、ゴールドの発色を特徴とするアイアンヘッド。
【発明の詳細な説明】
【技術分野】
【０００１】本発明は、打球面にカラーミーリングを施したアイアンヘッドの製造方法に関する。
【背景技術】
【０００２】近年、様々なゴルフクラブヘッドが製造されている。特許文献１には、打球面にカラーミーリングを施すことで、ゴルフボールのスピーン量を向上させるのと同時に、着色を可能としたアイアンヘッドが開示されている。
【先行技術文献】
【特許文献】
【０００３】
【特許文献１】特開２００４−１４２３４３号公報
【発明の概要】
【発明が解決しようとする課題】
【０００４】ゴルフでは、フェースとボールとの間に芝が存在した状態で、インパクトがなされる場合がある。この芝の影響により、インパクトを迎えたボールのバックスピンが少なくなることがある。様々な状況においてより優れたバックスピンが得られるのが好ましい。【０００５】本発明の目的は、見た目の向上による所有感とより優れたバックスピンが得られるアイアンヘッドの提供にある。
【課題を解決するための手段】
【０００６】本発明は、アイアンヘッドのフェース面において、ＣＮＣ旋盤加工による表面切削を施し、切削面にレーザーを照射させ照射面の組成そのものを化学的に変化させることにより、表面を粗くし発色させ、上記課題を解決した。
【発明の効果】
【０００７】前記加工より成る本発明アイアンヘッドでプレーを行えば、見た目の向上による所有感とより優れたバックスピンが得られる
【図面の簡単な説明】
【０００８】
【図１】本発明アイアンヘッドの正面図である。
【実施例】
【０００９】アイアンヘッドのフェースの表面にＣＮＣ旋盤機で彫刻深度が０．００１から０．０２ｍｍの間に介在し、０．００１から０．３ｍｍの均一なピッチ（グルーヴのある点から隣のグルーヴの同じ点までの距離）で複数本のグルーヴを形成する。【００１０】ＣＮＣ旋盤機で彫刻したグルーヴの上に、レーザーの周波数を０から１５０ｋＨｚの間で介在させ、パワーを２０から８０Ｗの間に介在させ、移動速度を５０から３０００ｍｍ／ｓの間に介在させるように制御しレーザー照射を行うと、表面粗さが頂上から底までの深さが０．００６から０．０２５ｍｍの間に介在したピンク、グリーン、パープル、ゴールドの着色備えたアイアンヘッドの製造が可能となる。【００１１】アイアンヘッドのフェースの表面にＣＮＣ旋盤機で彫刻深度が０．０１、ピッチ０．０８ｍｍの均一で複数本のグルーヴを形成し、グルーヴの上に、レーザーの周波数を２０ｋＨｚ、パワーを８０Ｗ、移動速度を１５０に制御しレーザー照射を行うと表面粗さ０．０８ｍｍでピンクに発色する。【００１２】アイアンヘッドのフェースの表面にＣＮＣ旋盤機で彫刻深度が０．０１５、ピッチ０．１ｍｍの均一で複数本のグルーヴを形成し、グルーヴの上に、レーザーの周波数を４０ｋＨｚ、パワーを７０Ｗ、移動速度を１００に制御しレーザー照射を行うと表面粗さ０．０８ｍｍでグリーンに発色する。【００１３】アイアンヘッドのフェースの表面にＣＮＣ旋盤機で彫刻深度が０．００３、ピッチ０．２ｍｍの均一で複数本のグルーヴを形成し、グルーヴの上に、レーザーの周波数を２０ｋＨｚ、パワーを６０Ｗ、移動速度を３００に制御しレーザー照射を行うと表面粗さ０．０５３ｍｍでパープルに発色する。【００１４】アイアンヘッドのフェースの表面にＣＮＣ旋盤機で彫刻深度が０．０２、ピッチ０．１ｍｍの均一で複数本のグルーヴを形成し、グルーヴの上に、レーザーの周波数を１５０ｋＨｚ、パワーを８０Ｗ、移動速度を３０００に制御しレーザー照射を行うと表面粗さ０．０２１ｍｍでゴールドに発色する。【００１５】本発明によりＣＮＣ旋盤加工とレーザー加工を利用することでアイアンヘッドの表面粗さを向上させ及び色の発色まで可能とした。
【図１】
2019162394.tif 000003